(57)【要約】  監視システム（１）は、第１信号表示灯（２Ａ）と、監視用表示装置（４０）とを含む。第１信号表示灯（２Ａ）は、第１情報が入力される第１入力部（２１）と、第２情報が入力される第２入力部（２２）と、情報を可変表示する第１表示部（８Ａ）と、第１制御部（２５Ａ）と、第１出力部（２９Ａ）とを含む。第１制御部（２５Ａ）は、第１情報に対応する情報と第２情報に対応する情報とを表示するように第１表示部（８Ａ）を制御する。第１出力部（２９Ａ）は、第１情報に対応する情報と第２情報に対応する情報とを出力する。監視用表示装置（４０）は、第１出力部（２９Ａ）によって出力された情報を受信する受信部（４２）と、受信部（４２）が受信した情報に対応する情報を表示する監視表示部（４３）と、監視表示部（４３）を制御する監視制御部（４１）とを含む。監視制御部（４１）は、第１情報に対応する情報と第２情報に対応する情報とが関連付けられて表示されるように監視表示部（４３）を制御する。
2020065987.tif 000002
【特許請求の範囲】
【請求項１】
第１情報が入力される第１入力部と、第２情報が入力される第２入力部と、情報を可変表示する第１表示部と、前記第１情報に対応する情報と前記第２情報に対応する情報とを表示するように前記第１表示部を制御する第１制御部と、前記第１情報に対応する情報と前記第２情報に対応する情報とを出力する第１出力部と、を含む第１信号表示灯と、  前記第１出力部によって出力された情報を受信する受信部と、前記受信部が受信した情報に対応する情報を表示する監視表示部と、前記監視表示部を制御する監視制御部と、を含む監視用表示装置と、を含み、  前記監視制御部は、前記第１情報に対応する情報と前記第２情報に対応する情報とが関連付けられて表示されるように前記監視表示部を制御する、監視システム。
【請求項２】
前記監視制御部は、前記第１情報に対応する情報と前記第２情報に対応する情報とが一体表示または並列表示されるように前記監視表示部を制御する、請求項１に記載の監視システム。
【請求項３】
前記第１情報は、前記第１信号表示灯に対応付けられた第１機械装置を制御する制御装置から出力される情報であり、  前記第２情報は、操作者による操作部の操作によって前記第２入力部に入力される情報である、請求項１または２に記載の監視システム。
【請求項４】
第３情報が入力される第３入力部と、第４情報が入力される第４入力部と、情報を可変表示する第２表示部と、前記第３情報に対応する情報と前記第４情報に対応する情報とを表示するように前記第２表示部を制御する第２制御部と、前記第３情報に対応する情報と前記第４情報に対応する情報とを出力する第２出力部と、を含む第２信号表示灯をさらに含み、  前記受信部は、前記第２出力部によって出力された情報をさらに受信し、  前記監視制御部は、さらに、前記第３情報に対応する情報と前記第４情報に対応する情報とが関連付けられて表示されるように前記監視表示部を制御する、請求項３に記載の監視システム。
【請求項５】
前記監視制御部は、前記第３情報に対応する情報と前記第４情報に対応する情報とが一体表示または並列表示されるように前記監視表示部を制御する、請求項４に記載の監視システム。
【請求項６】
前記第３情報は、前記第２信号表示灯に対応付けられた第２機械装置を制御する制御装置から出力される情報であり、  前記第４情報は、操作者による操作部の操作によって前記第４入力部に入力される情報である、請求項４または５に記載の監視システム。
【請求項７】
前記第１情報が、緊急事態発生に関する情報を含む場合に、前記監視制御部は、前記第１情報に対応する情報が前記第２情報に応じて強調表示されるように前記監視表示部を制御する、請求項６に記載の監視システム。
【請求項８】
前記第１情報が、前記第３情報よりも緊急度が高い情報を含む場合に、前記監視制御部は、前記第１情報に対応する情報が前記第３情報に対応する情報よりも強調表示されるように前記監視表示部を制御する、請求項７に記載の監視システム。
【請求項９】
前記第１情報に対応する情報は、前記第１信号表示灯の図形表示を含み、  前記第２情報に対応する情報は、保守作業者が前記第１機械装置に到着したことを示す図形表示と、前記第１機械装置の保守作業完了を示す図形表示とを含み、  前記第３情報に対応する情報は、前記第２信号表示灯の図形表示を含み、  前記第４情報に対応する情報は、保守作業者が前記第２機械装置に到着したことを示す図形表示と、前記第２機械装置の保守作業完了を示す図形表示とを含み、  前記第１情報が、前記第３情報よりも緊急度が高い情報を含む場合に、前記監視制御部は、前記第１信号表示灯の図形表示が前記第２信号表示灯の図形表示よりも強調表示されるように前記監視表示部を制御する、請求項８に記載の監視システム。
【請求項１０】
前記第１情報が、前記第１機械装置が正常であることを表わす情報を含み、且つ、前記第２情報が、前記第１機械装置の保守作業開始を表わす情報を含む場合に、前記監視制御部は、前記第１機械装置の予防的な保守作業が行われていると判断する、請求項３〜９のいずれか一項に記載の監視システム。
【発明の詳細な説明】
【技術分野】
【０００１】  この発明は、信号表示灯および監視用表示装置を備えた監視システムに関する。
【背景技術】
【０００２】  特許文献１は、複数のシグナルコラムが中央コンピュータに接続された構成を開示している。各シグナルコラムは、監視対象である技術的装置に取り付けられている。シグナルコラムは、監視している技術的装置が重大な状態にあるときに点灯する警告ランプを備えている。中央コンピュータは、スクリーンを備えている。スクリーンには、各シグナルコラムの動作状態が表示される。スクリーンを見た者は、各シグナルコラムが監視している技術的装置の状態を把握できる。
【先行技術文献】
【特許文献】
【０００３】
【特許文献１】特開２０１０−１５３３６３号公報
【発明の概要】
【発明が解決しようとする課題】
【０００４】  特許文献１の中央コンピュータのスクリーンを見た者は、技術的装置の状態、つまり技術的装置における異常の有無や異常の内容を把握することができる。しかし、技術的装置に異常等が発生した場合における現場の作業員による対応状況のような追加の情報までは把握できない。このような追加の情報を表示することができれば、さらに利便性を向上できる。【０００５】  そこで、この発明の一実施形態は、信号表示灯からより多様な情報を取得して監視用表示装置において表示でき、それによって利便性を向上できる監視システムを提供する。
【課題を解決するための手段】
【０００６】  この発明は、第１信号表示灯と、監視用表示装置とを含む監視システムを提供する。前記第１信号表示灯は、第１情報が入力される第１入力部と、第２情報が入力される第２入力部と、情報を可変表示する第１表示部と、第１制御部と、第１出力部とを含む。前記第１制御部は、前記第１情報に対応する情報と前記第２情報に対応する情報とを表示するように前記第１表示部を制御する。前記第１出力部は、前記第１情報に対応する情報と前記第２情報に対応する情報とを出力する。前記監視用表示装置は、前記第１出力部によって出力された情報を受信する受信部と、前記受信部が受信した情報に対応する情報を表示する監視表示部と、前記監視表示部を制御する監視制御部とを含む。前記監視制御部は、前記第１情報に対応する情報と前記第２情報に対応する情報とが関連付けられて表示されるように前記監視表示部を制御する。【０００７】  この構成により、第１情報が第１入力部に入力されると、第１制御部は、第１情報に対応する情報を表示するように第１表示部を制御する。これにより、第１表示部に表示された情報を見た者は、この情報を把握できる。一方、第２情報が第２入力部に入力されると、第１制御部は、第２情報に対応する情報を表示するように第１表示部を制御する。これにより、第１表示部に表示された情報を見た者は、さらに追加の情報を把握できる。第１情報に対応する情報と第２情報に対応する情報とは、第１出力部によって出力されて、監視用表示装置の受信部によって受信される。監視用表示装置では、監視制御部が、第１情報に対応する情報と第２情報に対応する情報とが関連付けられて表示されるように監視表示部を制御する。これにより、監視表示部を見た者は、第１情報に対応する情報だけでなく、第２情報に対応する情報も把握できる。以上の結果、監視用表示装置は、信号表示灯からより多様な情報を取得して表示することが可能となり、それより、利便性を向上できる。【０００８】  一つの具体例では、機械装置の異常の発生やその内容を表す情報が第１情報として第１入力部に入力されてもよい。この構成により、機械装置での異常の発生を表わす第１情報が第１入力部に入力されると、第１制御部は、第１情報に対応する情報を表示するように第１表示部を制御する。これにより、第１表示部に表示された情報を見た者は、異常の発生やその内容を把握できる。【０００９】  さらに一つの具体例では、機械装置の異常に対応する作業者等の操作者が、作業者の到着を表す情報を第２情報として第２入力部に入力してもよい。すると、第１制御部は、第２情報に対応する情報を表示するように第１表示部を制御する。これにより、第１表示部に表示された情報を見た者は、異常への対応が開始されたことを把握できる。【００１０】  このようにして、第１信号表示灯は、異常の発生や内容だけでなく異常への対応状況も報知できる。そして、監視用表示装置の監視表示部は、第１信号表示灯に対応付けられた機械装置での異常の発生や内容だけでなく異常への対応状況も表示できる。【００１１】  この発明の一実施形態では、前記監視制御部は、前記第１情報に対応する情報と前記第２情報に対応する情報とが一体表示または並列表示されるように前記監視表示部を制御する。【００１２】  この構成により、第１情報に対応する情報と、第２情報に対応する情報とは、一体表示または並列表示されることによって、確実に関連付けられて監視表示部に表示される。これにより、監視表示部は、例えば第１信号表示灯に対応付けられた機械装置での異常の発生およびその内容を表わす第１情報だけでなく、この異常への対応状況を表わす第２情報も確実に表示できる。  「一体表示」は、第１情報および第２情報を一体的に表す文字、記号、色もしくは図形またはこれらの結合による表示であってもよい。「並列表示」は、第１情報を表す文字、記号、色もしくは図形またはこれらの結合による表示と、第２情報を表す文字、記号もしくは図形またはこれらの結合による表示とが並置された表示であってもよい。【００１３】  この発明の一実施形態では、前記第１情報は、前記第１信号表示灯に対応付けられた第１機械装置を制御する制御装置から出力される情報である。前記第２情報は、操作者による操作部の操作によって前記第２入力部に入力される情報である。【００１４】  この構成により、例えば、第１信号表示灯に対応付けられた第１機械装置での異常の発生を表わす第１情報が、第１機械装置を制御する制御装置から出力されて第１信号表示灯の第１入力部に入力される。この場合、第１機械装置の異常が解消すると、異常の解消を表わす第１情報が、制御装置から出力されて第１入力部に入力されてもよい。第１信号表示灯の第１制御部がこのような第１情報に対応する情報を第１表示部に表示する場合、第１表示部に表示された情報を見た者は、第１機械装置における異常の発生や内容と、異常の解消とを把握できる。第１機械装置で発生した異常に対応するために駆けつけた者が操作部を操作すると、第２情報が第１信号表示灯の第２入力部に入力される。この場合、第２情報は、異常への対応状況を表わす。第１制御部は、入力された第２情報に対応する情報を第１表示部に表示するので、第１表示部に表示された情報を見た者は、異常への対応状況を把握できる。監視用表示装置の監視表示部には、第１機械装置における異常有無や異常の内容を表わす第１情報と、異常等への対応状況を表わす第２情報とが関連付けられて表示される。これにより、監視表示部を見た者は、第１機械装置における異常の有無および内容だけでなく、第１機械装置における異常等への対応状況も把握できる。【００１５】  この発明の一実施形態では、前記監視システムは、第２信号表示灯をさらに含む。前記第２信号表示灯は、第３情報が入力される第３入力部と、第４情報が入力される第４入力部と、情報を可変表示する第２表示部と、第２制御部と、第２出力部とを含む。前記第２制御部は、前記第３情報に対応する情報と前記第４情報に対応する情報とを表示するように前記第２表示部を制御する。前記第２出力部は、前記第３情報に対応する情報と前記第４情報に対応する情報とを出力する。前記受信部は、前記第２出力部によって出力された情報をさらに受信する。前記監視制御部は、さらに、前記第３情報に対応する情報と前記第４情報に対応する情報とが関連付けられて表示されるように前記監視表示部を制御する。【００１６】  この構成により、第３情報が第３入力部に入力されると、第２制御部は、第３情報に対応する情報を表示するように第２表示部を制御する。これにより、第２表示部に表示された情報を見た者は、この情報を把握できる。一方、第４情報が第４入力部に入力されると、第２制御部は、第４情報に対応する情報を表示するように第２表示部を制御する。これにより、第２表示部に表示された情報を見た者は、さらに追加の情報を把握できる。第３情報に対応する情報と第４情報に対応する情報とは、第２出力部によって出力されて、監視用表示装置の受信部によって受信される。監視用表示装置では、監視制御部が、第３情報に対応する情報と第４情報に対応する情報とが関連付けられて表示されるように監視表示部を制御する。これにより、監視表示部を見た者は、第３情報に対応する情報だけでなく、第４情報に対応する情報も把握できる。以上の結果、監視用表示装置は、第２信号表示灯からより多様な情報を取得して表示することが可能となり、それより、利便性を一層向上できる。【００１７】  一つの具体例では、機械装置の異常の発生やその内容を表す情報が第３情報として第３入力部に入力されてもよい。この構成により、第２信号表示灯に対応付けられた機械装置での異常の発生を表わす第３情報が第３入力部に入力されると、第２制御部は、第３情報に対応する情報を表示するように第２表示部を制御する。これにより、第２表示部に表示された情報を見た者は、異常の発生やその内容を把握できる。【００１８】  さらに一つの具体例では、機械装置の異常に対応する作業者等の操作者が、作業者の到着を表す情報を第４情報として第４入力部に入力してもよい。すると、第２制御部は、第４情報に対応する情報を表示するように第２表示部を制御する。これにより、第２表示部に表示された情報を見た者は、異常への対応が開始されたことを把握できる。【００１９】  このようにして、第２信号表示灯は、異常の発生や内容だけでなく異常への対応状況も報知できる。そして、監視用表示装置の監視表示部は、第２信号表示灯に対応付けられた機械装置での異常の発生や内容だけでなく異常への対応状況も表示できる。【００２０】  この発明の一実施形態では、前記監視制御部は、前記第３情報に対応する情報と前記第４情報に対応する情報とが一体表示または並列表示されるように前記監視表示部を制御する。【００２１】  この構成により、第３情報に対応する情報と、第４情報に対応する情報とは、一体表示または並列表示されることによって、確実に関連付けられて監視表示部に表示される。これにより、監視表示部は、例えば第２信号表示灯に対応付けられた機械装置での異常の発生を表わす第３情報だけでなく、この異常への対応状況を表わす第４情報も確実に表示できる。【００２２】  この発明の一実施形態では、前記第３情報は、前記第２信号表示灯に対応付けられた第２機械装置を制御する制御装置から出力される情報である。前記第４情報は、操作者による操作部の操作によって前記第４入力部に入力される情報である。【００２３】  この構成により、例えば、第２信号表示灯に対応付けられた第２機械装置での異常の発生を表わす第３情報が、第２機械装置を制御する制御装置から出力されて第２信号表示灯の���３入力部に入力される。この場合、第２機械装置の異常が解消すると、異常の解消を表わす第３情報が、制御装置から出力されて第３入力部に入力されてもよい。第２信号表示灯の第２制御部がこのような第３情報に対応する情報を第２表示部に表示する場合、第２表示部に表示された情報を見た者は、第２機械装置における異常の発生や内容と異常の解消とを把握できる。第２機械装置で発生した異常に対応するために駆けつけた者が操作部を操作すると、第４情報が第２信号表示灯の第４入力部に入力される。この場合、第４情報は、異常への対応状況を表わす。第２制御部は、入力された第４情報に対応する情報を第２表示部に表示するので、第２表示部に表示された情報を見た者は、異常への対応状況を把握できる。監視用表示装置の監視表示部には、第２機械装置における異常有無や異常の内容を表わす第３情報と、異常等への対応状況を表わす第４情報とが関連付けられて表示される。これにより、監視表示部を見た者は、第２機械装置における異常の有無および内容だけでなく、第２機械装置における異常等への対応状況も把握できる。【００２４】  この発明の一実施形態では、前記第１情報が、緊急事態発生に関する情報を含む場合に、前記監視制御部は、前記第１情報に対応する情報が前記第２情報に応じて強調表示されるように前記監視表示部を制御する。【００２５】  この構成により、監視表示部において強調表示された第１情報に対応する情報を見た者は、第１機械装置に緊急事態が発生したことを確実に把握できる。【００２６】  この発明の一実施形態では、前記第１情報が、前記第３情報よりも緊急度が高い情報を含む場合に、前記監視制御部は、前記第１情報に対応する情報が前記第３情報に対応する情報よりも強調表示されるように前記監視表示部を制御する。【００２７】  この構成により、監視表示部において第３情報に対応する情報と当該情報よりも強調表示された第１情報に対応する情報とを見た者は、第１機械装置で生じた事象の緊急度が第２機械装置で生じた事象の緊急度よりも高いことを把握できる。【００２８】  この発明の一実施形態では、前記第１情報に対応する情報は、前記第１信号表示灯の図形表示を含む。前記第２情報に対応する情報は、保守作業者が前記第１機械装置に到着したことを示す図形表示と、前記第１機械装置の保守作業完了を示す図形表示とを含む。前記第３情報に対応する情報は、前記第２信号表示灯の図形表示を含む。前記第４情報に対応する情報は、保守作業者が前記第２機械装置に到着したことを示す図形表示と、前記第２機械装置の保守作業完了を示す図形表示とを含む。前記第１情報が、前記第３情報よりも緊急度が高い情報を含む場合に、前記監視制御部は、前記第１信号表示灯の図形表示が前記第２信号表示灯の図形表示よりも強調表示されるように前記監視表示部を制御する。【００２９】  例えば、第１信号表示灯の図形表示の強調度合いによって、第１信号表示灯に対応付けられた第１機械装置に生じた事象の緊急度を監視表示部に表示できる。この場合、第１信号表示灯の図形表示と、保守作業者が第１機械装置に到着したことを示す図形表示とが関連付けられて表示された監視表示部を見た者は、第１機械装置に生じた事���の緊急度と、保守作業者が第１機械装置に到着したこととを把握できる。そして、保守作業者が第１機械装置に到着したことを示す図形表示から、第１機械装置の保守作業完了を示す図形表示に切り替わったことを見た者は、第１機械装置の保守作業完了を把握できる。同様に、第２信号表示灯の図形表示の強調度合いによって、第２信号表示灯に対応付けられた第２機械装置に生じた事象の緊急度を監視表示部に表示できる。この場合、第２信号表示灯の図形表示と、保守作業者が第２機械装置に到着したことを示す図形表示とが関連付けられて表示された監視表示部を見た者は、第２機械装置に生じた事象の緊急度と、保守作業者が第２機械装置に到着したこととを把握できる。そして、保守作業者が第２機械装置に到着したことを示す図形表示から、第２機械装置の保守作業完了を示す図形表示に切り替わったことを見た者は、第２機械装置の保守作業完了を把握できる。そして、監視表示部において、第２信号表示灯の図形表示と、当該図形表示よりも強調表示された第１信号表示灯の図形表示とを見た者は、第１機械装置に生じた事象の緊急度が第２機械装置に生じた事象の緊急度よりも高いことを確実に把握できる。【００３０】  この発明の一実施形態では、前記第１情報が、前記第１機械装置が正常であることを表わす情報を含み、且つ、前記第２情報が、前記第１機械装置の保守作業開始を表わす情報を含む場合に、前記監視制御部は、前記第１機械装置の予防的な保守作業が行われていると判断する。【００３１】  この構成により、第１機械装置が正常であることを表わす情報と、第１機械装置の保守作業開始を表わす情報とを受信した監視用表示装置では、監視制御部が、正常な第１機械装置において予防的な保守作業が行われていることを判断する。この場合、監視表示部には、正常な第１機械装置において予防的な保守作業が行われていることを表示できる。そのため、監視表示部を見た者は、第１機械装置において異常が発生していないものの予防的な保守作業が行われていることを把握できる。
【図面の簡単な説明】
【００３２】
【図１】図１は、この発明の一実施形態に係る監視システムを説明するための模式的な斜視図である。
【図２】図２は、監視システムの電気的構成例を説明するためのブロック図である。
【図３】図３は、監視システムを構成する信号表示灯の報知パターンを説明するための図である。
【図４】図４は、監視システムを構成する監視用表示装置の表示内容を説明するための図である。
【図５】図５は、変形例に係る信号表示灯を備えた監視システムを説明するための模式的な斜視図である。
【図６】図６は、監視用表示装置における変形例に係る表示内容を説明するための図である。
【発明を実施するための形態】
【００３３】  図１は、この発明の一実施形態に係る監視システム１を説明するための模式的な斜視図である。監視システム１は、例えば工場の生産現場に設けられている。生産現場には、第１機械装置ＭＡ、第２機械装置ＭＢ、第３機械装置ＭＣ、第４機械装置ＭＤ、第５機械装置ＭＥ、第６機械装置ＭＦ、第７機械装置ＭＧ、第８機械装置ＭＨ（以下、総称するときには「機械装置Ｍ」という。）が設置されている。監視システム１は、第１機械装置ＭＡ、第２機械装置ＭＢ、第３機械装置ＭＣ〜ＭＨにそれぞれ取り付けられた第１信号表示灯２Ａ、第２信号表示灯２Ｂ、第３信号表示灯２Ｃ〜第８信号表示灯２Ｈ（以下、総称するときには「信号表示灯２」という。）を含む。監視システム１は、第１信号表示灯２Ａ、第２信号表示灯２Ｂ、第３信号表示灯２Ｃ〜第８信号表示灯２Ｈの周辺にそれぞれ配置された第１操作部３Ａ、第２操作部３Ｂ、第３操作部３Ｃ〜第８操作部３Ｈ（以下、総称するときには「操作部３」という。）をさらに含む。
【００３４】  信号表示灯２は、当該信号表示灯２に対応付けられた機械装置Ｍを制御する制御装置４に、有線または無線の入力信号線５を介して接続されている。制御装置４は、対応する機械装置Ｍの動作を制御するプログラマブルロジックコントローラ（ＰＬＣ）であってもよい。制御装置４から出力された情報が、入力信号線５を介して信号表示灯２に入力される。この情報は、例えば、対応する機械装置Ｍが正常動作中であることや、機械装置Ｍの異常発生やその内容（例えば、故障、部品欠品、その他の異常の発生）を表わす信号である。以下では、第１機械装置ＭＡを制御する制御装置４（以下では、「制御装置４Ａ」ということがある。）から出力されて第１信号表示灯２Ａに入力される情報を「第１情報」という。また、第２機械装置ＭＢを制御する制御装置４（以下では、「制御装置４Ｂ」ということがある。）から出力されて第２信号表示灯２Ｂに入力される情報を「第３情報」という。
【００３５】  この実施形態における信号表示灯２は、全体として柱状の基本形態を有している。第１信号表示灯２Ａを参照して、信号表示灯２は、機械装置Ｍにおける適所に固定されるベース６と、ベース６によって支持された表示部８とを含む。ベース６は、柱状（典型的には円柱状）に構成されている。表示部８は、ベース６と整合する大きさおよび形状の柱状（例えば円柱状）に構成されている。表示部８は、ベース６上に積層された下表示部８１と、下表示部８１上に積層された中表示部８２と、中表示部８２上に積層された上表示部８３とを含んでいる。このような信号表示灯２は、いわゆる積層信号灯である。
【００３６】  下表示部８１、中表示部８２および上表示部８３のそれぞれは、光源９と、光源９の周囲を覆う筒状（例えば円筒状）のグローブ１０とを含む。この実施形態の光源９は、発光ダイオードである。この実施形態のグローブ１０は、無色透明または白色透光性であり、光源９が発した光をそのままの色で外部に放出させる。光源９の発光色は、表示部８の表示色となる。この実施形態では、下表示部８１の表示色は緑色であり、中表示部８２の表示色は黄色であり、上表示部８３の表示色は赤色である。なお、下表示部８１、中表示部８２および上表示部８３では、それぞれの表示色に応じて光源９の発光色が異なってもよいし、光源９の発光色が同じ色（例えば白色）であって、グローブ１０が、対応する表示色で着色されていてもよい。各信号表示灯２では、下表示部８１、中表示部８２および上表示部８３の光源９が同時に発光することはなく、下表示部８１、中表示部８２および上表示部８３のいずれか１つにおける光源９が選択的に発光する。下表示部８１、中表示部８２および上表示部８３のうち、光源９が発光しているものの上下の位置（積層位置）を、以下では、「表示位置」という。信号表示灯２の表示部８は、当該信号表示灯２に対応付けられた機械装置Ｍの稼働状態等の情報を、表示位置や表示色や点灯パターンによって可変表示する。
【００３７】  各信号表示灯２は、有線または無線のネットワーク１１を介して通信可能に接続されている。ネットワーク１１として、ＩＯ−Ｌｉｎｋ等の接続技術による通信線を用いることができる。ネットワーク１１が無線によって構成される場合には、ネットワーク１１につながる無線通信ユニット１２が、例えば表示部８上に設けられる。
【００３８】  操作部３は、生産現場において保守を担当する保守作業者等の操作者によって操作される。操作部３は、この実施形態では、スイッチであって、信号線１３を介して、対応する信号表示灯２に接続されている。当該スイッチとして、静電容量式のタッチセンサを用いることができる。操作部３は、この実施形態では、信号表示灯２から離れた位置に配置されているが、信号表示灯２に一体化されてもよい。この実施形態における操作部３は、操作者の手によって押し操作（より詳細にはタッチ操作）される。一方、信号表示灯２から離れた位置に配置された場合における操作部３は、操作者の足踏みによって操作されるフットスイッチであってもよい。操作者が操作部３を押し操作する度に、当該操作部３は情報を生成して、対応する信号表示灯２に入力する。この情報の一例は、パルス信号である。以下では、操作者が第１操作部３Ａを押し操作する度に第１操作部３Ａが生成する情報を、「第２情報」という。操作者が第２操作部３Ｂを押し操作する度に第２操作部３Ｂが生成する情報を、「第４情報」という。
【００３９】  図２は、監視システム１の電気的構成例を説明するためのブロック図である。第１信号表示灯２Ａは、制御装置４Ａからの第１情報が入力される第１入力部２１と、第１操作部３Ａが生成した第２情報が入力される第２入力部２２とを含む。第１入力部２１は、制御装置４Ａにつながった入力信号線５に接続されるインタフェース部である。第２入力部２２は、第１操作部３Ａにつながった信号線１３に接続されるインタフェース部である。第２信号表示灯２Ｂは、制御装置４Ｂからの第３情報が入力される第３入力部２３と、第２操作部３Ｂが生成した第４情報が入力される第４入力部２４とを含む。第３入力部２３は、制御装置４Ｂにつながった入力信号線５に接続されるインタフェース部である。第４入力部２４は、第２操作部３Ｂにつながった信号線１３に接続されるインタフェース部である。第３信号表示灯２Ｃ〜第８信号表示灯２Ｈのそれぞれは、第１入力部２１や第３入力部２３に相当するインタフェース部と、第２入力部２２や第４入力部２４に相当するインタフェース部とを含む。
【００４０】  各信号表示灯２は、ＣＰＵ（中央処理ユニット）によって構成された制御部２５と、前述した表示部８と、例えばベース６に内蔵されたブザー２６と、時間を計測するタイマ２７と、信号表示灯２の動作条件等の情報を記憶する記憶部２８と、外部通信するための出力部２９とを含む。
【００４１】  以下では、第１信号表示灯２Ａの制御部２５を「第１制御部２５Ａ」といい、第２信号表示灯２Ｂの制御部２５を「第２制御部２５Ｂ」ということがある。また、第１信号表示灯２Ａの表示部８を「第１表示部８Ａ」といい、第２信号表示灯２Ｂの表示部８を「第２表示部８Ｂ」ということがある。第１制御部２５Ａは、第１入力部２１に入力される第１情報と、第２入力部２２に入力される第２情報とに応じて第１表示部８Ａを制御する。これにより、第１表示部８Ａにおいて、第１情報に対応する情報が第１表示属性により表示され、第２情報に対応する情報が、第１表示属性とは異なる第２表示属性により表示される。第２制御部２５Ｂは、第３入力部２３に入力される第３情報と、第４入力部２４に入力される第４情報とに応じて第２表示部８Ｂを制御する。これにより、第２表示部８Ｂにおいて、第３情報に対応する情報が第３表示属性により表示され、第４情報に対応する情報が、第３表示属性とは異なる第４表示属性により表示される。この実施形態における第１表示属性および第３表示属性は、同じ表示属性であり、具体的には、表示部８の表示位置および表示色である。この実施形態における第２表示属性および第４表示属性は、同じ表示属性であり、具体的には表示部８の点灯パターンである。
【００４２】  制御部２５は、ブザー２６を制御する。制御部２５は、必要に応じてタイマ２７の計時時間を参照しながら処理を実行する。
【００４３】  図３は、信号表示灯２の報知パターンを説明するための図である。第１信号表示灯２Ａの記憶部２８には、制御装置４Ａから入力される第１情報と、第１表示属性の属性値（以下「第１表示属性値」という。）と、当該第１表示属性値に対応する表示位置および表示色との関係が記憶されている。第２信号表示灯２Ｂの記憶部２８には、制御装置４Ｂから入力される第３情報と、第３表示属性の属性値（以下「第３表示属性値」という。）と、当該第３表示属性値に対応する表示位置および表示色との関係が記憶されている。この実施形態では、第１情報および第３情報が、対応する機械装置Ｍが正常に自動運転していることを表わす場合に、第１表示属性値および第３表示属性値は「正常値」に設定される。そして、「正常値」に対応する表示位置は下表示部８１に設定され、その表示色は「緑」に設定されている。一方、第１情報および第３情報が、対応する機械装置Ｍにおける第１異常（例えば、ワークの欠品）の発生を表わす場合に、第１表示属性値および第３表示属性値は「第１異常値」に設定される。そして、「第１異常値」に対応する表示位置は中表示部８２に設定され、その表示色は「黄」に設定されている。一方、第１情報および第３情報が、対応する機械装置Ｍにおける第２異常（例えば、機械装置Ｍの異常停止）の発生を表わす場合に、第１表示属性値および第３表示属性値は「第２異常値」に設定される。そして、「第２異常値」に対応する表示位置は上表示部８３に設定され、その表示色は「赤」に設定されている。この実施形態では、表示色が赤である第２異常の方が、表示色が黄である第１異常よりも緊急度が高い。
【００４４】  第１信号表示灯２Ａの記憶部２８には、第２表示属性の属性値（以下「第２表示属性値」という。）と、当該第２表示属性値に対応する表示部８の点灯パターンとの関係が記憶されている。第２信号表示灯２Ｂの記憶部２８には、第４表示属性の属性値（以下「第４表示属性値」という。）と、当該第４表示属性値に対応する第２表示部８Ｂの点灯パターンとの関係が記憶されている。第２表示属性値および第４表示属性値は、「初期値」、「中間値」および「完了値」のいずれかの値に設定される。この実施形態では、「初期値」に対応する点灯パターンは、点灯（連続点灯）である。「中間値」に対応する点灯パターンは、点滅である。「完了値」に対応する点灯パターンは、閃光である。「点滅」とは、一定の短時間点灯と一定の短時間滅灯とを周期的に繰り返す点灯パターンをいう。「閃光」とは、一定の極短時間点灯（点滅の場合よりも短時間の点灯）とその後の一定の短時間滅灯（点灯時間よりも長い時間の消灯）とを周期的に繰り返す点灯パターンをいう。第１信号表示灯２Ａの第１制御部２５Ａは、操作者が第１操作部３Ａを押し操作することによる第２入力部２２への第２情報の入力に応じて、第２表示属性値を変更する。第２信号表示灯２Ｂの第２制御部２５Ｂは、操作者が第２操作部３Ｂを押し操作することによる第４入力部２４への第４情報の入力に応じて、第４表示属性値を変更する。
【００４５】  図３は、第１表示属性および第２表示属性のそれぞれの属性値が変化した場合における第１信号表示灯２Ａの第１表示部８Ａの表示状態の変化を示している。図３の太い実線矢印は、操作者による第１操作部３Ａの操作、すなわち第２情報の入力に応じて第１表示部８Ａの表示状態が変化する様子を示している。図３の太い破線矢印は、制御装置４Ａから入力される第１情報の内容に応じて第１表示部８Ａの表示状態が変化する様子を示している。第１表示部８Ａは、この例では、９つの表示状態Ａ〜Ｉをとり得る。
【００４６】  第１機械装置ＭＡの正常動作を表わす第１情報が制御装置４Ａから第１入力部２１に入力されると、第１信号表示灯２Ａの第１制御部２５Ａは、第１表示属性値を正常値に設定し、下表示部８１の光源９の発光色を緑色に設定する。このとき、第２表示属性値が初期値であれば、第１制御部２５Ａの制御によって、下表示部８１は緑色で連続点灯する表示状態Ａとなる。この状態で、作業者が例えばメンテナンス（異常発生を事前に回避するための予防的な保守作業）のために第１機械装置ＭＡにやってきて、メンテナンスの開始に先立って第１操作部３Ａを１回押し操作すると、第２情報が第２入力部２２に入力される。すると、第１制御部２５Ａは、第２表示属性値を、初期値から中間値に変更する。これにより、下表示部８１の表示状態は、緑点灯（表示状態Ａ）から緑色の点滅状態に変わり、表示状態Ｂとなる。表示状態Ｂを見た者は、正常状態にある第１機械装置ＭＡにおいて現在メンテナンスが行われていることを把握できる。
【００４７】  下表示部８１が緑点滅している表示状態Ｂで、作業者がメンテナンスを完了して第１操作部３Ａを１回押し操作すると、第２情報が第２入力部２２に入力される。すると、第１制御部２５Ａは、第２表示属性値を、中間値から完了値に変更する。これにより、下表示部８１の表示状態は、緑点滅（表示状態Ｂ）から緑色の閃光状態に変わり、表示状態Ｃとなる。表示状態Ｃを見た者は、正常状態にある第１機械装置ＭＡにおいてメンテナンスが完了したことを把握できる。
【００４８】  下表示部８１が緑閃光している表示状態Ｃで、作業者が第１操作部３Ａをもう１回押し操作すると、第２情報が第２入力部２２に入力される。すると、第１制御部２５Ａは、第２表示属性値を、完了値から初期値に変更する。これにより、下表示部８１の表示状態は、緑閃光（表示状態Ｃ）から緑色の連続点灯に変わり、表示状態Ａとなる。表示状態Ａを見た者は、第１機械装置ＭＡが正常動作中であってメンテナンス等が行われていないことを把握できる。
【００４９】  第１機械装置ＭＡにおける第１異常の発生を表わす第１情報が制御装置４Ａから第１入力部２１に入力されると、第１制御部２５Ａは、第１表示属性値を正常値から第１異常値に変更する。それにより、下表示部８１の光源９が消灯して、中表示部８２の光源９が黄色で発光する。このとき、第２表示属性値が初期値であれば、第１制御部２５Ａの制御によって、中表示部８２は黄色で連続点灯し、表示状態Ｄとなる。この状態で、作業者が第１異常を解消するために第１機械装置ＭＡにやってきて、作業開始に先立って第１操作部３Ａを１回押し操作する。この押し操作により、第２情報が第２入力部２２に入力される。すると、第１制御部２５Ａは、第２表示属性値を、初期値から中間値に変更する。これにより、中表示部８２の表示状態は、黄点灯（表示状態Ｄ）から黄色の点滅状態に変わり、表示状態Ｅに遷移する。表示状態Ｅを見た者は、第１異常が発生した第１機械装置ＭＡにおいて第１異常を解消するための対応が現在行われていることを把握できる。
【００５０】  中表示部８２が黄点滅している表示状態Ｅで、作業者が作業を完了して第１操作部３Ａを１回押し操作すると、第２情報が第２入力部２２に入力される。すると、第１制御部２５Ａは、第２表示属性値を、中間値から完了値に変更する。これにより、中表示部８２の表示状態は、黄点滅（表示状態Ｅ）から黄色の閃光状態に変わり、表示状態Ｆに遷移する。表示状態Ｆを見た者は、第１異常が発生した第１機械装置ＭＡにおいて対応が完了したことを把握できる。
【００５１】  作業者が対応しても第１異常を解消できない場合がある。その場合には、作業者は、例えば表示状態Ｅから第１操作部３Ａを１回押し操作して中表示部８２を黄閃光させて表示状態Ｆとし、さらに、第１操作部３Ａをもう１回押し操作する。このとき、第１制御部２５Ａは、第２情報の第２入力部２２への入力に応じて、第２表示属性値を、中間値から完了値を経て初期値へと変更する。そのため、中表示部８２の表示状態は、黄点滅から黄閃光を経て黄点灯に変わり、表示状態Ｄとなる。表示状態Ｄを見た者は、第１機械装置ＭＡの第１異常が未解消であることを把握できる。
【００５２】  作業者の対応に応じて異常が解消されることにより、第１機械装置ＭＡの正常動作を表わす第１情報が制御装置４Ａから第１入力部２１に入力されると、第１制御部２５Ａは、第１表示属性値を異常値から正常値に変更する。これにより、中表示部８２の光源９が消灯して下表示部８１の光源９が緑色で発光する。中表示部８２が黄点灯中（表示状態Ｄ）または黄点滅中（表示状態Ｅ）であるにもかかわらず第１異常が自然解消される場合があり得る。この場合に、第１機械装置ＭＡの正常動作を表わす第１情報が制御装置４Ａから第１入力部２１に入力されると、第１制御部２５Ａは、中表示部８２を消灯して下表示部８１を緑点灯させたり緑点滅させたりする（表示状態Ａ，Ｂ）。逆に、第１異常が発生することによって、下表示部８１が消灯して中表示部８２が黄点灯したり黄点滅したり黄閃光したりすることもある（表示状態Ｄ，Ｅ，Ｆ）。
【００５３】  第１機械装置ＭＡにおける第２異常の発生を表わす第１情報が制御装置４Ａから第１入力部２１に入力されると、第１制御部２５Ａは、第１表示属性値を正常値から第２異常値に変更する。それにより、下表示部８１の光源９が消灯して、上表示部８３の光源９が赤色で発光する。このとき、第２表示属性値が初期値であれば、第１制御部２５Ａの制御によって、上表示部８３は赤色で連続点灯し、表示状態Ｇとなる。この状態で、作業者が第２異常を解消するために第１機械装置ＭＡにやってきて、作業開始に先立って第１操作部３Ａを１回押し操作する。この押し操作により、第２情報が第２入力部２２に入力される。すると、第１制御部２５Ａは、第２表示属性値を、初期値から中間値に変更する。これにより、上表示部８３の表示状態は、赤点灯（表示状態Ｇ）から赤色の点滅状態に変わり、表示状態Ｈに遷移する。表示状態Ｈを見た者は、第２異常が発生した第１機械装置ＭＡにおいて第２異常を解消するための対応が現在行われていることを把握できる。
【００５４】  上表示部８３が赤点滅している表示状態Ｈで、作業者が作業を完了して第１操作部３Ａを１回押し操作すると、第２情報が第２入力部２２に入力される。すると、第１制御部２５Ａは、第２表示属性値を、中間値から完了値に変更する。これにより、上表示部８３の表示状態は、赤点滅（表示状態Ｈ）から赤色の閃光状態に変わり、表示状態Ｉに遷移する。表示状態Ｉを見た者は、第２異常が発生した第１機械装置ＭＡにおいて対応が完了したことを把握できる。
【００５５】  作業者が対応しても第２異常を解消できない場合がある。その場合には、作業者は、例えば表示状態Ｈから第１操作部３Ａを１回押し操作して第１表示部８Ａを赤閃光させて表示状態Ｉとし、さらに、第１操作部３Ａをもう１回押し操作する。このとき、第１制御部２５Ａは、第２情報の第２入力部２２への入力に応じて、第２表示属性値を、中間値から完了値を経て初期値へと変更する。そのため、上表示部８３の表示状態は、赤点滅から赤閃光を経て赤点灯に変わり、表示状態Ｇとなる。表示状態Ｇを見た者は、第１機械装置ＭＡの第２異常が未解消であることを把握できる。
【００５６】  作業者の対応に応じて異常が解消されることにより、第１機械装置ＭＡの正常動作を表わす第１情報が制御装置４Ａから第１入力部２１に入力されると、第１制御部２５Ａは、第１表示属性値を第２異常値から正常値に変更する。これにより、上表示部８３の光源９が消灯して下表示部８１の光源９が緑色で発光する。上表示部８３が赤点灯中（表示状態Ｇ）または赤点滅中（表示状態Ｈ）であるにもかかわらず第２異常が自然解消される場合があり得る。この場合に、第１機械装置ＭＡの正常動作を表わす第１情報が制御装置４Ａから第１入力部２１に入力されると、第１制御部２５Ａは、上表示部８３を消灯して下表示部８１を緑点灯させたり緑点滅させたりする（表示状態Ａ，Ｂ）。逆に、第２異常が発生することによって、下表示部８１が消灯して上表示部８３が赤点灯したり赤点滅したり赤閃光したりすることもある（表示状態Ｇ，Ｈ，Ｉ）。また、第２異常が解消しても、第１異常が発生することによって、上表示部８３が消灯して中表示部８２が黄点灯したり黄点滅したり黄閃光したりすることもある（表示状態Ｄ，Ｅ，Ｆ）。
【００５７】  図３には、第３表示属性および第４表示属性のそれぞれの属性値が変化した場合における第２信号表示灯２Ｂの第２表示部８Ｂの表示状態の変化も示されている。前述したように、第１表示属性および第３表示属性は同じ表示属性であり、第２表示属性および第４表示属性は同じ表示属性である。そのため、第２表示部８Ｂの表示状態は、第１信号表示灯２Ａの第１表示部８Ａと同様に変化する。具体的には、第３入力部２３に入力される第３情報に伴う第３表示属性値の変化に応じて、第２表示部８Ｂの表示位置および表示色が変化する。そして、第４入力部２４に入力される第４情報に伴う第４表示属性値の変化に応じて、第２表示部８Ｂの点灯パターンが変化する。また、第３信号表示灯２Ｃ〜第８信号表示灯２Ｈの表示部８の表示状態も、第１表示部８Ａおよび第２表示部８Ｂと同様に変化する。
【００５８】  図２を参照して、出力部２９は、ネットワーク１１に接続されるインタフェース部である。出力部２９は、ＩＯ−Ｌｉｎｋ等の接続技術を利用した通信インタフェースであってもよい。以下では、第１信号表示灯２Ａの出力部２９を「第１出力部２９Ａ」といい、第２信号表示灯２Ｂの出力部２９を「第２出力部２９Ｂ」ということがある。第１出力部２９Ａは、第１表示部８Ａの表示状態に関する情報を外部出力する。第２出力部２９Ｂは、第２表示部８Ｂの表示状態に関する情報と外部出力する。表示部８の表示状態に関する情報とは、表示部８の表示状態Ａ〜Ｉ（図３参照）を特定できる情報であり、この実施形態では、表示部８の表示色、表示位置および点灯パターンを表す情報である。第１信号表示灯２Ａの場合、第１表示部８Ａの表示状態に関する情報は、第１情報に対応する情報（第１表示部８Ａの表示色および表示位置を表す情報）と、第２情報に対応する情報（第１表示部８Ａの点灯パターンを表す情報）とを含む。第２信号表示灯２Ｂの場合、第２表示部８Ｂの表示状態に関する情報は、第３情報に対応する情報（第２表示部８Ｂの表示色および表示位置を表す情報）と、第４情報に対応する情報（第２表示部８Ｂの点灯パターンを表す情報）を含む。第３信号表示灯２Ｃ〜第８信号表示灯２Ｈも、それぞれの表示部８の表示状態に関する情報を外部出力する。
【００５９】  監視システム１は、各信号表示灯２の表示状態を表示する監視用表示装置４０をさらに含む。監視用表示装置４０は、機械装置Ｍから離れた管理室（生産現場の外でも構わない）において生産現場を管理する管理者の目が届く位置に配置されている。監視用表示装置４０は、ＣＰＵによって構成された監視制御部４１と、各信号表示灯２の出力部２９によって出力された情報を受信する受信部４２と、モニタ等によって構成されて監視制御部４１に制御される監視表示部４３とを含む。受信部４２は、ネットワーク１１に接続されるインタフェース部である。
【００６０】  図４は、監視用表示装置４０の監視表示部４３の表示内容を説明するための図である。監視表示部４３は、例えば矩形状の表示画面４４を有する。表示画面４４は、第１信号表示灯２Ａ〜第８信号表示灯２Ｈにそれぞれ対応する矩形状の第１個別表示領域４５Ａ〜第８個別表示領域４５Ｈ（以下、総称するときには「個別表示領域４５」という。）に仕切られている。これらの個別表示領域４５は、例えば縦２列横４列に並ぶように規則的に配置されている。各個別表示領域４５の上端には、対応する機械装置Ｍを表わす見出し５０が表示されている。例えば、第１個別表示領域４５Ａの見出し５０として、対応する第１機械装置ＭＡを表わす「１号機」という文字が表示されている。同様に、図４の見出し５０における「２号機」〜「８号機」は、第２機械装置ＭＢ〜第８機械装置ＭＨをそれぞれ指している。
【００６１】  監視制御部４１は、受信部４２が各信号表示灯２から受信した情報に対応する情報を各信号表示灯２による表示と同期して表示するように監視表示部４３を制御する。これにより、監視表示部４３には、ネットワーク１１に接続された全ての信号表示灯２の表示部８の表示状態に相当する情報がリアルタイムで表示される。つまり、第１個別表示領域４５Ａ〜第８個別表示領域４５Ｈには、第１信号表示灯２Ａ〜第８信号表示灯２Ｈの表示部８の表示状態Ａ〜Ｉのいずれかに相当する情報がそれぞれ複製表示される。
【００６２】  具体的には、第１個別表示領域４５Ａには、第１信号表示灯２Ａの図形表示４６Ａが表示される。第２個別表示領域４５Ｂには、第２信号表示灯２Ｂの図形表示４６Ｂが表示される。第３個別表示領域４５Ｃには、第３信号表示灯２Ｃの図形表示４６Ｃが表示される。第４個別表示領域４５Ｄには、第４信号表示灯２Ｄの図形表示４６Ｄが表示される。第５個別表示領域４５Ｅには、第５信号表示灯２Ｅの図形表示４６Ｅが表示される。第６個別表示領域４５Ｆには、第６信号表示灯２Ｆの図形表示４６Ｆが表示される。第７個別表示領域４５Ｇには、第７信号表示灯２Ｇの図形表示４６Ｇが表示される。第８個別表示領域４５Ｈには、第８信号表示灯２Ｈの図形表示４６Ｈが表示される。これらの図形表示４６Ａ〜４６Ｈ（以下、総称するときには「図形表示４６」という。）は、対応する信号表示灯２の現在の表示状態を示すイラストレーションである。そのため、図形表示４６Ａ〜４６Ｈでは、対応する信号表示灯２の下表示部８１、中表示部８２および上表示部８３に相当する部分が、当該信号表示灯２の表示状態を模擬するように、当該信号表示灯２と同じ表示色で点灯、点滅または閃光するように疑似的に表示される。
【００６３】  機械装置Ｍで異常が発生した場合、対応する個別表示領域４５には、待ち表示４７と、到着表示４８と、完了表示４９とが選択的に表示される。待ち表示４７は、保守作業者が機械装置Ｍに到着していないことを示す図形表示である。待ち表示４７の一例は、保守作業者を白抜き表示したイラストレーションである。到着表示４８は、保守作業者が機械装置Ｍに到着したことを示す図形表示である。到着表示４８の一例として、保守作業者を白抜き表示したイラストレーションと、保守作業者を黒抜き表示したイラストレーションとが交互に表示される。完了表示４９は、機械装置Ｍの保守作業が完了して機械装置Ｍの復旧を待っている状態を示す図形表示である。完了表示４９の一例は、保守作業者を黒抜き表示したイラストレーションである。
【００６４】  第１個別表示領域４５Ａには、第１信号表示灯２Ａの第１表示部８Ａの表示状態に相当する情報として、第１情報に対応する情報と、第２情報に対応する情報とが表示される。第１情報に対応する情報は、第１信号表示灯２Ａの図形表示４６Ａを含む。第２情報に対応する情報は、待ち表示４７、到着表示４８および完了表示４９のいずれかを含む。図形表示４６Ａと、待ち表示４７、到着表示４８および完了表示４９のいずれかとは関連付けられて表示される。一例として、図４では、第１個別表示領域４５Ａにおいて、図形表示４６Ａと待ち表示４７とが左右に並ぶように並列表示されている。図形表示４６Ａと待ち表示４７とは、少なくとも部分的に互い重なるように一体表示されてもよい。到着表示４８や完了表示４９が表示される場合でも同様である。第１個別表示領域４５Ａには、第１機械装置ＭＡにおいて第２異常が発生したものの保守作業者が第１機械装置ＭＡに到着していないこと（表示状態Ｇを表わす情報）が、図形表示４６Ａにおいて上表示部８３に相当する部分の赤点灯と、待ち表示４７とによって表示されている。この場合における第１情報は、緊急事態（ここでは第２異常）の発生に関する情報を含む。
【００６５】  第２個別表示領域４５Ｂには、第２信号表示灯２Ｂの第２表示部８Ｂの表示状態に相当する情報として、第３情報に対応する情報と、第４情報に対応する情報とが関連付けられて表示される。第３情報に対応する情報は、第２信号表示灯２Ｂの図形表示４６Ｂを含む。第４情報に対応する情報は、待ち表示４７、到着表示４８および完了表示４９のいずれかを含む。一例として、図４では、第２個別表示領域４５Ｂにおいて、図形表示４６Ｂと到着表示４８とが左右に並ぶように並列表示されている。図形表示４６Ｂと到着表示４８とは、重なるように一体表示されてもよい。待ち表示４７や完了表示４９が表示される場合でも同様である。第２個別表示領域４５Ｂには、第１異常が発生した第２機械装置ＭＢに保守作業者が到着したこと（表示状態Ｅを表わす情報）が、図形表示４６Ｂにおいて中表示部８２に相当する部分の黄点滅と、到着表示４８とによって表示されている。この場合における第３情報は、緊急事態（ここでは第１異常）の発生に関する情報を含む。
【００６６】  一例として、第３個別表示領域４５Ｃには、第１異常が発生した第３機械装置ＭＣに保守作業者が到着して第１異常への対応を完了したこと（表示状態Ｆを表わす情報）が、図形表示４６Ｃにおいて中表示部８２に相当する部分の黄閃光と、完了表示４９とによって表示されている。一例として、第４個別表示領域４５Ｄには、第４機械装置ＭＤが正常であって保守作業が行われていないこと（表示状態Ａを表わす情報）が、図形表示４６Ｄにおいて下表示部８１に相当する部分の緑点灯によって表示されている。このときの第４個別表示領域４５Ｄには、待ち表示４７は表示されない。一例として、第５個別表示領域４５Ｅには、第１異常が発生した第５機械装置ＭＥに保守作業者が到着していないこと（表示状態Ｄを表わす情報）が、図形表示４６Ｅにおいて中表示部８２に相当する部分の黄点灯と、待ち表示４７とによって表示されている。
【００６７】  一例として、第６個別表示領域４５Ｆには、第２異常が発生した第６機械装置ＭＦに保守作業者が到着して第２異常への対応を完了したこと（表示状態Ｉを表わす情報）が、図形表示４６Ｆにおいて上表示部８３に相当する部分の赤閃光と、完了表示４９とによって表示されている。一例として、第７個別表示領域４５Ｇには、第７機械装置ＭＧが正常であって保守作業が行われていないこと（表示状態Ａを表わす情報）が、図形表示４６Ｇにおいて下表示部８１に相当する部分の緑点灯によって表示されている。一例として、第８個別表示領域４５Ｈには、保守作業者が正常運転中の第８機械装置ＭＨに到着して保守作業をしていること（表示状態Ｂを表わす情報）が、図形表示４６Ｈにおいて下表示部８１に相当する部分の緑点滅と、到着表示４８とによって表示されている。各個別表示領域４５では、待ち表示４７や到着表示４８や完了表示４９によって保守作業者の対応状況を把握できるので、当該対応状況を表わす点灯パターン（特に、点滅や閃光）が図形表示４６において再現されなくてもよい。
【００６８】  正常動作中の機械装置Ｍに対応する個別表示領域４５における表示サイズ（図形表示４６等の大きさ）を１００％とする（第４個別表示領域４５Ｄ、第７個別表示領域４５Ｇおよび第８個別表示領域４５Ｈを参照）。監視制御部４１は、第１異常や第２異常といった緊急事態が発生した機械装置Ｍに対応する個別表示領域４５における表示サイズを１００％よりも大きくする。これによって、監視制御部４１は、当該個別表示領域４５における図形表示４６、待ち表示４７、到着表示４８および完了表示４９を強調表示する（第１個別表示領域４５Ａ〜第３個別表示領域４５Ｃおよび第５個別表示領域４５Ｅ〜第６個別表示領域４５Ｆを参照）。具体的には、監視制御部４１は、保守作業員が到着済の機械装置Ｍに対応する図形表示４６と、到着表示４８とを、例えば１４０％の表示サイズで拡大表示する（第２個別表示領域４５Ｂを参照）。監視制御部４１は、保守作業員が緊急事態への対応を完了した機械装置Ｍに対応する図形表示４６と、完了表示４９とを、例えば１４０％の表示サイズで拡大表示する（第３個別表示領域４５Ｃおよび第６個別表示領域４５Ｆを参照）。一方、監視制御部４１は、保守作業員が到着していない機械装置Ｍに対応する図形表示４６と、待ち表示４７とを、さらに拡大して例えば２００％の表示サイズで表示する（第１個別表示領域４５Ａおよび第５個別表示領域４５Ｅを参照）。
【００６９】  第１信号表示灯２Ａの場合、保守作業員が第１機械装置ＭＡに到着したか否かや、保守作業員が第１機械装置ＭＡの緊急事態への対応を完了したか否かは、保守作業者による第１操作部３Ａの操作によって入力される第２情報に対応している。第１信号表示灯２Ａに対応する図形表示４６Ａの元となる第１情報が緊急事態発生に関する情報を含む場合に、監視制御部４１は、図形表示４６Ａが第２情報に応じて強調表示されるように監視表示部４３を制御する。そのため、緊急事態が発生した第１機械装置ＭＡに保守作業員が到着して第１操作部３Ａを操作した場合や、保守作業員が緊急事態への対応を完了して第１操作部３Ａを操作した場合には、第１機械装置ＭＡが正常である場合（図形表示４６Ｄを参照）と比べて、図形表示４６Ａが拡大表示される。そして、保守作業員が緊急事態発生中の第１機械装置ＭＡに到着していない場合には、図形表示４６Ａがさらに拡大して表示される。
【００７０】  第１個別表示領域４５Ａおよび第２個別表示領域４５Ｂだけを参照して、図形表示４６Ａにおける赤の表示色が示す第２異常は、図形表示４６Ｂにおける黄の表示色が示す第１異常よりも緊急度が高い。つまり、第１個別表示領域４５Ａに対応する第１情報は、第２個別表示領域４５Ｂに対応する第３情報よりも緊急度が高い情報を含む。この場合、監視制御部４１は、図形表示４６Ａが図形表示４６Ｂよりも拡大表示されるように監視表示部４３を制御してもよい。これにより、図形表示４６Ａは、図形表示４６Ｂよりも強調表示される。
【００７１】  第１表示属性値が正常値であり、且つ、第２表示属性値が中間値である場合がある（図３参照）。この場合には、第１情報が、第１個別表示領域４５Ａに対応する第１機械装置ＭＡが正常であることを表わす情報を含み、且つ、第２情報が、第１機械装置ＭＡの保守作業開始を表わす情報を含む。これに応じて、監視制御部４１は、第１機械装置ＭＡの予防的な保守作業が行われていると判断する。そのため、監視制御部４１は、図４の第８個別表示領域４５Ｈの表示内容と同様に、第１個別表示領域４５Ａにおいて、図形表示４６Ａにおいて下表示部８１に相当する部分を緑点滅させて、到着表示４８を表示する。
【００７２】  このようにこの実施形態によれば、第１機械装置ＭＡでの異常の発生に伴って制御装置４Ａから出力された第１情報が第１信号表示灯２Ａの第１入力部２１に入力されると、第１制御部２５Ａは、異常の発生およびその内容を表わす情報を表示するように第１表示部８Ａを制御する（図３の表示状態ＤおよびＧ）。これにより、第１表示部８Ａに表示された情報を見た者は、異常の発生やその内容を把握できる。異常に対応するために駆けつけた者が第１操作部３Ａを操作することによって第２情報を第２入力部２２に入力すると、第１制御部２５Ａは、第２情報に対応する情報を表示するように第１表示部８Ａを制御する（表示状態ＥおよびＨ）。これにより、第１表示部８Ａに表示された情報を見た者は、異常への対応が開始されたことも把握できる。第１機械装置ＭＡでの異常が解消すると、異常の解消を表わす第１情報が、制御装置４Ａから出力されて第１入力部２１に入力される。すると、第１制御部２５Ａは、異常解消を表わす情報を表示するように第１表示部８Ａを制御する（表示状態Ａ〜Ｃ）。これにより、第１表示部８Ａに表示された情報を見た者は、異常の解消を把握できる。
【００７３】  第１情報に対応する情報と第２情報に対応する情報とは、第１出力部２９Ａによって出力されて、監視用表示装置４０の受信部４２によって受信される。監視用表示装置４０では、監視制御部４１が、第１情報に対応する情報と第２情報に対応する情報とが関連付けられて表示されるように監視表示部４３を制御する。そのため、監視表示部４３の第１個別表示領域４５Ａには、第１機械装置ＭＡにおける異常有無および異常の内容を表わす第１情報（図形表示４６Ａ）と、異常等への対応状況を表わす第２情報（図４では、待ち表示４７）とが関連付けられて表示される。これにより、監視表示部４３を見た者は、第１機械装置ＭＡにおける異常有無および異常の内容だけでなく、第１機械装置ＭＡにおける異常等への対応状況も把握できる。つまり、第１信号表示灯２Ａの監視対象である第１機械装置ＭＡの状態だけでなく、当該監視対象への対応状況も監視用表示装置４０において把握できる。以上の結果、監視用表示装置４０は、第１信号表示灯２Ａからより多様な情報を取得して表示することが可能となり、それより、利便性を向上できる。
【００７４】  また、第１情報に対応する情報と、第２情報に対応する情報とは、一体表示または並列表示されることによって、確実に関連付けられて第１個別表示領域４５Ａに表示される。これにより、第１個別表示領域４５Ａを見た者は、第１信号表示灯２Ａに対応付けられた第１機械装置ＭＡでの異常の発生および内容を表わす第１情報だけでなく、この異常への対応状況に関する第２情報も確実に把握できる。つまり、第１信号表示灯２Ａの監視対象である第１機械装置ＭＡの状態だけでなく、当該監視対象への対応状況も監視用表示装置４０において確実に把握できる。例えば、待ち表示４７が表示された第１個別表示領域４５Ａを見た者は、第１個別表示領域４５Ａに対応する第１機械装置ＭＡにおける異常状態の継続は、保守作業者の不在に起因することを把握できる。一方、第１個別表示領域４５Ａにおいて、完了表示４９が表示されたものの図形表示４６Ａの表示色が赤または黄のままになっている場合がある。このときの第１個別表示領域４５Ａを見た者は、第１個別表示領域４５Ａにおける異常状態の継続は、第１機械装置ＭＡの異常が保守作業によって解消されなかったことに起因することを把握できる。
【００７５】  第２機械装置ＭＢでの異常の発生に伴って制御装置４Ｂから出力された第３情報が第３入力部２３に入力されると、第２制御部２５Ｂは、異常発生およびその内容を表わす情報を表示するように第２表示部８Ｂを制御する（図３の表示状態ＤおよびＧ）。これにより、第２表示部８Ｂに表示された情報を見た者は、異常の発生を把握できる。異常に対応するために駆けつけた者が第２操作部３Ｂを操作することによって第４情報を第４入力部２４に入力すると、第２制御部２５Ｂは、第４情報に対応する情報を表示するように第２表示部８Ｂを制御する（表示状態ＥおよびＨ）。これにより、第２表示部８Ｂに表示された情報を見た者は、異常への対応が開始されたことも把握できる。第２機械装置ＭＢでの異常が解消すると、異常の解消を表わす第３情報が、制御装置４Ｂから出力されて第３入力部２３に入力される。すると、第２制御部２５Ｂは、異常解消を表わす情報を表示するように第２表示部８Ｂを制御する（表示状態Ａ〜Ｃ）。これにより、第２表示部８Ｂに表示された情報を見た者は、異常の解消を把握できる。
【００７６】  第３情報に対応する情報と第４情報に対応する情報とは、第２出力部２９Ｂによって出力されて、監視用表示装置４０の受信部４２によって受信される。監視用表示装置４０では、監視制御部４１が、第３情報に対応する情報と第４情報に対応する情報とが関連付けられて表示されるように監視表示部４３を制御する。そのため、監視表示部４３の第２個別表示領域４５Ｂには、第２機械装置ＭＢにおける異常有無および異常の内容を表わす第３情報（図形表示４６Ｂ）と、異常等への対応状況を表わす第４情報（図４では、到着表示４８）とが関連付けられて表示される。これにより、監視表示部４３を見た者は、第２機械装置ＭＢにおける異常有無および異常の内容だけでなく、第２機械装置ＭＢにおける異常等への対応状況も把握できる。つまり、第２信号表示灯２Ｂの監視対象である第２機械装置ＭＢの状態だけでなく、当該監視対象への対応状況も監視用表示装置４０において把握できる。以上の結果、監視用表示装置４０は、第２信号表示灯２Ｂからより多様な情報を取得して表示することが可能となり、それより、利便性を一層向上できる。
【００７７】  また、第３情報に対応する情報と、第４情報に対応する情報とは、一体表示または並列表示されることによって、確実に関連付けられて第２個別表示領域４５Ｂに表示される。これにより、第２個別表示領域４５Ｂを見た者は、第２信号表示灯２Ｂに対応付けられた第２機械装置ＭＢでの異常の発生および内容を表わす第３情報だけでなく、この異常への対応状況に関する第４情報も確実に把握できる。つまり、第２信号表示灯２Ｂの監視対象である第２機械装置ＭＢの状態だけでなく、当該監視対象への対応状況も監視用表示装置４０において確実に把握できる。
【００７８】  また、第１情報が、緊急事態発生に関する情報を含む場合に、監視制御部４１は、第１情報に対応する情報が第２情報に応じて強調表示されるように監視表示部４３を制御する（図４の図形表示４６Ａを参照）。そのため、監視表示部４３の第１個別表示領域４５Ａにおいて強調表示された図形表示４６Ａを見た者は、第１機械装置ＭＡに緊急事態が発生したことを確実に把握できる。
【００７９】  また、第１情報が、第３情報よりも緊急度が高い情報を含む場合に、監視制御部４１は、第１情報に対応する情報が第３情報に対応する情報よりも強調表示されるように監視表示部４３を制御する。そのため、監視表示部４３において第３情報に対応する情報（ここでは、図形表示４６Ｂ）と当該情報よりも強調表示された第１情報に対応する情報（ここでは、図形表示４６Ａ）とを見た者は、第１機械装置ＭＡで生じた事象の緊急度が第２機械装置ＭＢで生じた事象の緊急度よりも高いことを把握できる。
【００８０】  第１信号表示灯２Ａの図形表示４６Ａの強調度合い（この実施形態では、表示サイズ）によって、第１信号表示灯２Ａに対応付けられた第１機械装置ＭＡに生じた事象の緊急度を監視表示部４３に表示できる。この場合、図形表示４６Ａと到着表示４８とが関連付けられて表示された監視表示部４３を見た者は、第１機械装置ＭＡに生じた事象の緊急度と、保守作業者が第１機械装置ＭＡに到着したこととを把握できる。そして、到着表示４８から完了表示４９に切り替わったことを見た者は、第１機械装置ＭＡの保守作業完了を把握できる。同様に、第２信号表示灯２Ｂの図形表示４６Ｂの強調度合いによって、第２信号表示灯２Ｂに対応付けられた第２機械装置ＭＢに生じた事象の緊急度を監視表示部４３に表示できる。この場合、図形表示４６Ｂと到着表示４８とが関連付けて表示された監視表示部４３を見た者は、第２機械装置ＭＢに生じた事象の緊急度と、保守作業者が第２機械装置ＭＢに到着したこととを把握できる。そして、到着表示４８から完了表示４９に切り替わったことを見た者は、第２機械装置ＭＢの保守作業完了を把握できる。そして、監視表示部４３において、第２信号表示灯２Ｂの図形表示４６Ｂと、図形表示４６Ｂよりも強調表示された第１信号表示灯２Ａの図形表示４６Ａとを見た者は、第１機械装置ＭＡに生じた事象の緊急度が第２機械装置ＭＢに生じた事象の緊急度よりも高いことを確実に把握できる。
【００８１】  また、第１機械装置ＭＡが正常であることを表わす情報と、第１機械装置ＭＡの保守作業開始を表わす情報とを受信した監視用表示装置４０では、監視制御部４１が、正常な第１機械装置ＭＡにおいて異常についての予防的な保守作業が行われていることを判断する。この場合、監視表示部４３には、正常な第１機械装置ＭＡにおいて予防的な保守作業が行われていることを表示できる（図４の第８個別表示領域４５Ｈの表示内容を参照）。そのため、監視表示部４３を見た者は、第１機械装置ＭＡにおいて異常が発生していないものの予防的な保守作業が行われていることを把握できる。以上では、監視表示部４３において第１信号表示灯２Ａおよび第２信号表示灯２Ｂに関連する表示によって得られる効果について説明したが、同様の効果は、監視表示部４３において他の第３信号表示灯２Ｃ〜第８信号表示灯２Ｈに関連する表示によっても得られる。
【００８２】  図５は、変形例に係る信号表示灯２を備えた監視システム１を説明するための模式的な斜視図である。以降では、前述の実施形態に関して説明した部分と機能的に同じ部分には同一番号を付して、当該部分についての詳細な説明は省略する。信号表示灯２として、前述した積層信号灯でなく、表示部８が下表示部８１、中表示部８２および上表示部８３のいずれか１つだけを含む構成もあり得る。第１信号表示灯２Ａを参照して、変形例に係る信号表示灯２の表示部８は、光源５１と、光源５１の周囲を覆う筒状のグローブ５２とを含む。光源５１は、発光ダイオードであって、複数色を選択的に発光する。つまり、光源５１は、複数色の発光が可能なフルカラー光源またはマルチカラー光源である。変形例に係る信号表示灯２は、光源５１が回転可能に構成された回転警告灯であってもよい。グローブ５２は、ベース６から離れるにつれて小径になる円錐台形状に形成されている。この実施形態のグローブ５２は、無色透明または白色透光性であり、光源５１が発した光をそのままの色で外部に放出させる。表示部８における光源５１の発光色は、表示部８の表示色となる。前述の実施形態の同様に、表示部８の表示色は、緑、黄および赤のいずれかであり、表示部８の点灯パターンは、点灯、点滅および閃光のいずれかである。変形例に係る信号表示灯２は、対応する機械装置Ｍの情報を表示色や点灯パターンによって可変表示する。操作部３は、対応する信号表示灯２のグローブ５２の表面（例えば天面）に設けられることによって信号表示灯２に一体化されてもよい。
【００８３】  図６は、監視用表示装置４０における変形例に係る表示内容を説明するための図である。変形例に係る信号表示灯２に応じて、各個別表示領域４５における図形表示４６が、変形例に係る信号表示灯２に一致したイラストレーションになる。図形表示４６のイラストレーション以外については、監視用表示装置４０の監視表示部４３における表示内容は、前述の実施形態での表示内容と同じである。
【００８４】  以上、この発明の実施形態について説明してきたが、この発明は、さらに他の形態で実施することもできる。
【００８５】（１）例えば、保守作業者が作業を完了して第１操作部３Ａを押し操作すると、第１信号表示灯２Ａの第１制御部２５Ａは、第２表示属性値を中間値から完了値に変更することによって表示部８を閃光させる。しかし、表示部８は閃光しなくてもよい。つまり、前述した表示状態Ｃ，Ｆ，Ｉ（図３参照）が省略されてもよい。この場合、第１制御部２５Ａは、第２表示属性値を中間値から完了値に変更することによって表示部８の点灯パターンを点滅から点灯に変更する。
【００８６】（２）監視用表示装置４０の監視制御部４１は、個別表示領域４５において図形表示４６の強調表示する際に、当該個別表示領域４５の見出し５０（図４参照）も強調表示してもよい。見出し５０の強調表示の一例として、監視制御部４１は、対象となる個別表示領域４５の見出し５０の背景や文字を他の個別表示領域４５の見出し５０の背景や文字よりも目立つ色で表示する。一例として、正常動作中の機械装置Ｍに対応する個別表示領域４５の見出し５０の背景色は白に設定されて、文字色は黒に設定される。第１異常や第２異常が発生したものの保守作業員が到着していない機械装置Ｍに対応する個別表示領域４５の見出し５０では、文字色は白に設定され、背景色は、最も目立つ色（黒等）に設定される。第１異常や第２異常が発生して保守作業員が到着済であったり、対応が完了済であったりする機械装置Ｍに対応する個別表示領域４５の見出し５０では、文字色は黒のままであるが、背景色は、白よりは目立つものの黒よりは目立たない色に設定される。
【００８７】  本発明の実施形態について詳細に説明してきたが、これらは本発明の技術的内容を明らかにするために用いられた具体例に過ぎず、本発明はこれらの具体例に限定して解釈されるべきではなく、本発明の範囲は添付の請求の範囲によってのみ限定される。
【符号の説明】
【００８８】  １…監視システム  ２Ａ…第１信号表示灯  ２Ｂ…第２信号表示灯  ３…操作部  ４Ａ…制御装置  ４Ｂ…制御装置  ８Ａ…第１表示部  ８Ｂ…第２表示部  ２１…第１入力部  ２２…第２入力部  ２３…第３入力部  ２４…第４入力部  ２５Ａ…第１制御部  ２５Ｂ…第２制御部  ２９Ａ…第１出力部  ２９Ｂ…第２出力部  ４０…監視用表示装置  ４１…監視制御部  ４２…受信部  ４３…監視表示部  ４６Ａ…図形表示  ４６Ｂ…図形表示  ４８…到着表示  ４９…完了表示  ＭＡ…第１機械装置  ＭＢ…第２機械装置
【図１】
2020065987.tif 000003
【図２】
2020065987.tif 000004
【図３】
2020065987.tif 000005
【図４】
2020065987.tif 000006
【図５】
2020065987.tif 000007
【図６】
2020065987.tif 000008
【国際調査報告】
2020065987.tif 000009
2020065987.tif 000010